(57)【要約】【課題】比較的短い処理時間でありながら、少ない画質劣化で符号化画像データの符号化方式を変換することができる符号化方式変換装置、符号化方式変換方法、その記録媒体およびそのプログラムを提供する。【解決手段】第一の記録媒体１０１は、動画の画像信号を第一の符号化方式で符号化した第一の符号化画像データを記録する。符号化パラメータ推定部１０２は、第一の記録媒体１０１より断片的に読み出した第一の符号化画像データの符号列を解析して第二の符号化方式で符号化するための符号化パラメータを推定する。変換部１０３は、第一の記録媒体１０１より連続して読み出した第一の符号化画像データの符号列を、符号化パラメータ推定部１０２の推定した符号化パラメータに基づいて、第二の符号化方式である第二の符号化画像データへ変換する。第二の記録媒体１０４は、変換部１０３が符号化した第二の符号化画像データを記録する。【選択図】　図１
2004096228.tif 000002
【特許請求の範囲】
【請求項１】
動画の画像信号を第一の符号化方式で符号化された第一の符号化画像データを第一の記録媒体より断片的に読み出して前記第一の符号化画像データの符号列を解析し、第二の符号化方式で符号化するための符号化パラメータを推定する符号化パラメータ推定手段と、
前記第一の記録媒体より連続して読み出した前記第一の符号化画像データの符号列を、前記符号化パラメータ推定手段の推定した前記符号化パラメータに基づいて、前記第二の符号化方式である第二の符号化画像データへ変換する変換手段と
を具備することを特徴とする符号化方式変換装置。
【請求項２】
前記変換手段は、
前記第一の記録媒体より連続して読み出した前記第一の符号化画像データの符号列を、第一の符号化方式に応じて画像信号に復号する復号化手段と、
前記復号化手段が復号した前記画像信号を前記符号化パラメータ推定手段の推定した前記符号化パラメータに基づいて、前記第二の符号化方式で符号化して前記第二の符号化画像データを出力する符号化手段と
を具備することを特徴とする請求項１に記載の符号化方式変換装置。
【請求項３】
前記符号化パラメータ推定手段は、前記第一の記録媒体より断片的に読み出した前記第一の符号化画像データの符号列より映像の属性を検出および解析して、検出および解析した前記映像の属性を基に第二の符号化方式で符号化するための符号化パラメータを推定することを特徴とする請求項１または請求項２に記載の符号化方式変換装置。
【請求項４】
前記符号化パラメータ推定手段は、前記第二の符号化方式の符号化における画像フレーム毎のデータ配分量を制御する符号化パラメータを推定することを特徴とする請求項１から請求項３のいずれか１項に記載の符号化方式変換装置。
【請求項５】
前記符号化パラメータ推定手段は、前記第二の符号化方式の符号化における画素ブロック毎のデータ配分量を制御する符号化パラメータを推定することを特徴とする請求項１から請求項４のいずれか１項に記載の符号化方式変換装置。
【請求項６】
前記符号化パラメータ推定手段は、前記第二の符号化方式の符号化における画像フレーム毎の符号化方法を制御する符号化パラメータを推定することを特徴とする請求項１から請求項５のいずれか１項に記載の符号化方式変換装置。
【請求項７】
前記符号化パラメータ推定手段は、前記第二の符号化方式の符号化における画素ブロック毎の符号化方法を制御する符号化パラメータを推定することを特徴とする請求項１から請求項６のいずれか１項に記載の符号化方式変換装置。
【請求項８】
前記符号化パラメータ推定手段は、前記第二の符号化方式の符号化における符号化レートを制御する符号化パラメータを推定することを特徴とする請求項１から請求項７のいずれか１項に記載の符号化方式変換装置。
【請求項９】
前記符号化パラメータ推定手段が検出する前記映像の属性は、前記第一の符号化画像データにおける画像フレームの複雑さの変化であることを特徴とする請求項１から請求項８のいずれか１項に記載の符号化方式変換装置。
【請求項１０】
前記符号化パラメータ推定手段が検出する前記映像の属性は、前記第一の符号化画像データにおける画像ブロックの複雑さの変化であることを特徴とする請求項１から請求項９のいずれか１項に記載の符号化方式変換装置。
【請求項１１】
前記符号化パラメータ推定手段が検出する前記映像の属性は、前記第一の符号化画像データにおける画像フレームの動き量の変化であることを特徴とする請求項１から請求項１０のいずれか１項に記載の符号化方式変換装置。
【請求項１２】
前記符号化パラメータ推定手段が検出する前記映像の属性は、前記第一の符号化画像データにおける画素ブロックの動き量の変化であることを特徴とする請求項１から請求項１１のいずれか１項に記載の符号化方式変換装置。
【請求項１３】
前記符号化パラメータ推定手段が検出する前記映像の属性は、前記第一の符号化画像データにおける画像フレームのデータ量の変化であることを特徴とする請求項１から請求項１２のいずれか１項に記載の符号化方式変換装置。
【請求項１４】
前記符号化パラメータ推定手段が検出する前記映像の属性は、前記第一の符号化画像データにおける画素ブロックのデータ量の変化であることを特徴とする請求項１から請求項１３のいずれか１項に記載の符号化方式変換装置。
【請求項１５】
前記符号化パラメータ推定手段が検出する前記映像の属性は、前記第一の符号化画像データにおける映像シーンの切り替わり位置であることを特徴とする請求項１から請求項１４のいずれか１項に記載の符号化方式変換装置。
【請求項１６】
前記符号化パラメータ推定手段が検出する前記映像の属性は、前記第一の符号化画像データにおける映像の記録時間であることを特徴とする請求項１から請求項１５のいずれか１項に記載の符号化方式変換装置。
【請求項１７】
前記符号化パラメータ推定手段が検出する前記映像の属性は、前記第一の符号化画像データにおける画像フレームの輝度分布であることを特徴とする請求項１から請求項１６のいずれか１項に記載の符号化方式変換装置。
【請求項１８】
前記符号化パラメータ推定手段が検出する前記映像の属性は、前記第一の符号化画像データにおける画像フレームの色分布であることを特徴とする請求項１から請求項１７のいずれか１項に記載の符号化方式変換装置。
【請求項１９】
前記第一の符号化方式および前記第二の符号化方式において、少なくとも一方はフレーム内符号化方式であることを特徴とする請求項１から請求項１８のいずれか１項に記載の符号化方式変換装置。
【請求項２０】
前記第一の符号化方式および前記第二の符号化方式において、少なくとも一方はフレーム間符号化方式であることを特徴とする請求項１から請求項１９のいずれか１項に記載の符号化方式変換装置。
【請求項２１】
前記変換手段により変換された前記第二の符号化画像データを記録する第二の記録媒体を更に具備することを特徴とする請求項１から請求項２０のいずれか１項に記載の符号化方式変換装置。
【請求項２２】
前記符号化パラメータ推定部は、推定した前記符号化パラメータを前記第二の記録媒体に格納することを特徴とする請求項１から請求項２１のいずれか１項に記載の符号化方式変換装置。
【請求項２３】
動画の画像信号を第一の符号化方式で符号化した第一の符号化画像データを記録する第一の記録媒体より、断片的に読み出した前記第一の符号化画像データの符号列を解析して第二の符号化方式で符号化するための符号化パラメータを推定する第一のステップと、
前記第一の記録媒体より連続して読み出した前記第一の符号化画像データの符号列を、前記第一のステップで推定した前記符号化パラメータに基づいて、前記第二の符号化方式である第二の符号化画像データへ変換する第二のステップと
を有することを特徴とする符号化方式変換方法。
【請求項２４】
前記第二のステップは、
前記第一の記録媒体より連続して読み出した前記第一の符号化画像データの符号列を、第一の符号化方式に応じて画像信号に復号する復号ステップと、
前記復号ステップで復号した前記画像信号を前記第一のステップの推定した前記符号化パラメータに基づいて、前記第二の符号化方式で符号化して前記第二の符号化画像データを出力する符号化ステップと
を有することを特徴とする請求項２３に記載の符号化方式変換方法。
【請求項２５】
前記第一のステップは、前記第一の記録媒体より断片的に読み出した前記第一の符号化画像データの符号列より映像の属性を検出および解析して、検出および解析した前記映像の属性を基に第二の符号化方式で符号化するための符号化パラメータを推定することを特徴とする請求項２３または請求項２４に記載の符号化方式変換方法。
【請求項２６】
前記第一の記録媒体がテープ状記録媒体で合った場合に、前記第一のステップと前記第二のステップの間に前記第一の記録媒体を巻き戻す巻き戻しステップを更に有することを特徴とする請求項２３から請求項２５のいずれか１項に記載の符号化方式変換方法。
【請求項２７】
動画の画像信号を第一の符号化方式で符号化した第一の符号化画像データを記録する第一の記録媒体より、断片的に読み出した前記第一の符号化画像データの符号列を解析して第二の符号化方式で符号化するための符号化パラメータを推定する第一のステップと、
前記第一の記録媒体より連続して読み出した前記第一の符号化画像データの符号列を、前記第一のステップで推定した前記符号化パラメータに基づいて、前記第二の符号化方式である第二の符号化画像データへ変換する第二のステップと
をコンピュータに実行させるためのプログラムを記録したコンピュータ読み取り可能な記録媒体。
【請求項２８】
前記第二のステップは、
前記第一の記録媒体より連続して読み出した前記第一の符号化画像データの符号列を、第一の符号化方式に応じて画像信号に復号する復号ステップと、
前記復号ステップで復号した前記画像信号を前記第一のステップの推定した前記符号化パラメータに基づいて、前記第二の符号化方式で符号化して前記第二の符号化画像データを出力する符号化ステップと
を含むことを特徴とする請求項２７に記載の記録媒体。
【請求項２９】
前記第一のステップは、前記第一の記録媒体より断片的に読み出した前記第一の符号化画像データの符号列より映像の属性を検出および解析して、検出および解析した前記映像の属性を基に第二の符号化方式で符号化するための符号化パラメータを推定することを特徴とする請求項２７または請求項２８に記載の記録媒体。
【請求項３０】
前記第一の記録媒体がテープ状記録媒体で合った場合に、前記第一のステップと前記第二のステップの間に前記第一の記録媒体を巻き戻す巻き戻しステップを更に有することを特徴とする請求項２７から請求項２９のいずれか１項に記載の記録媒体。
【請求項３１】
動画の画像信号を第一の符号化方式で符号化した第一の符号化画像データを記録する第一の記録媒体より、断片的に読み出した前記第一の符号化画像データの符号列を解析して第二の符号化方式で符号化するための符号化パラメータを推定する第一のステップと、
前記第一の記録媒体より連続して読み出した前記第一の符号化画像データの符号列を、前記第一のステップで推定した前記符号化パラメータに基づいて、前記第二の符号化方式である第二の符号化画像データへ変換する第二のステップと
をコンピュータに実行させるためのプログラム。
【請求項３２】
前記第二のステップは、
前記第一の記録媒体より連続して読み出した前記第一の符号化画像データの符号列を、第一の符号化方式に応じて画像信号に復号する復号ステップと、
前記復号ステップで復号した前記画像信号を前記第一のステップの推定した前記符号化パラメータに基づいて、前記第二の符号化方式で符号化して前記第二の符号化画像データを出力する符号化ステップと
を含むことを特徴とする請求項３１に記載のプログラム。
【請求項３３】
前記第一のステップは、前記第一の記録媒体より断片的に読み出した前記第一の符号化画像データの符号列より映像の属性を検出および解析して、検出および解析した前記映像の属性を基に第二の符号化方式で符号化するための符号化パラメータを推定することを特徴とする請求項３１または請求項３２に記載のプログラム。
【請求項３４】
前記第一の記録媒体がテープ状記録媒体で合った場合に、前記第一のステップと前記第二のステップの間に前記第一の記録媒体を巻き戻す巻き戻しステップを更に有することを特徴とする請求項３１から請求項３３のいずれか１項に記載のプログラム。
【発明の詳細な説明】
【０００１】
【発明の属する技術分野】
本発明は、任意の符号化方式の画像データを異なる符号化方式の画像データへ変換する符号化方式変換装置、符号化方式変換方法、その記録媒体およびそのプログラムに関するものである。
【０００２】
【従来の技術】
近年、デジタル信号処理技術の進歩により、動画像や静止画像、音声等、大量のデジタル情報を高能率符号化し、小型磁気媒体への記録や通信媒体への伝送を行うことが可能となっている。このような技術を応用し、容易に高品位な映像を撮影し即座に記録媒体へ出力できる撮像装置の開発が行われている。現在、多くの動画撮像装置では、符号化された映像データ（以下、符号化画像データとする）を記録する磁気テープ等であるテープ状記録媒体を用いている。また、符号化画像データを書き込み読み出し可能なＣＤ（コンパクトディスク）等のディスク状記録媒体の性能向上により、ディスク状記録媒体を用いた撮像装置の開発が急速に進んでいる。
【０００３】
上述したディスク状記録媒体はテープ状記録媒体に比べ、ランダムアクセス性が高く、非常に扱いやすい反面、記録容量がテープ状記録媒体より圧倒的に少ない。そのため、ディスク状記録媒体用いた撮像装置は、テープ状記録媒体を用いた撮像装置よりも、高圧縮な符号化方式を使用するのが一般的である。
このような状況において、テープ状記録媒体に保存された符号化画像データをディスク状記録媒体に保存し直すには、単に符号化画像データを移動する（コピーする）だけでなく、より高圧縮な符号化方式の符号化画像データへ変換する必要がある。このため、低圧縮な符号化方式の符号化画像データをより高圧縮な符号化方式の符号化画像データへ変換する符号化方式変換装置が用いられている。
【０００４】
図８は、従来の符号化方式変換装置の概略構成を示す図である。図８において、９００は、符号化方式変換装置であり、第一の符号化方式で符号化された第一の符号化画像データを第二の符号化方式で符号化された第二の符号化画像データへ変換する機能を有する。９０１は、第一の記録媒体であり、第一の符号化方式で符号化された第一の符号化画像データを格納する。９０２は、復号化部であり、上述した第一の符号化画像データを、第一の符号化方式に応じて復号して画像信号を出力する。９０３は符号化部であり、復号化部９０２の復号した画像信号を第二の符号化方式で符号化して、第二の符号化画像データを生成する。９０４は、第二の記録媒体であり、符号化部９０３の生成した第二の符号化画像データを記録する。
【０００５】
尚、第一の記録媒体９０１は、テープ状記録媒体であり、第一の符号化方式は、フレーム内符号化方式である。また、第二の記録媒体は、ディスク状記録媒体であり、第二の符号化方式はフレーム間符号化方式である。この時、第二の符号化方式の方が、第一の符号化方式に比べて高圧縮である。
【０００６】
上記構成を有する符号化方式変換装置９００の処理動作を説明する。
まず、復号化部９０２は、第一の符号化方式で符号化された第一の符号化画像データを記録媒体９０１から読み出すとともに画像信号へ復号化して、符号化部９０３へ出力する。次に、符号化部９０３は、復号化部９０２が出力する画像信号を第二の符号化方式で符号化して第二の符号化画像データを生成し、第二の記録媒体９０４に記録する。以上により、符号化方式変換装置９００は、記録媒体９０１が格納している第一の符号化画像データを、第二の符号化画像データに変換し、第二の記録媒体９０４に格納する。
【０００７】
【発明が解決しようとする課題】
上述の従来例では、すでに符号化されている符号化画像データをいったん画像信号に復号化した後、異なる符号化方式でまったく新たに再符号化するため、変換時の画質劣化が大きいという問題があった。この問題を解決するため、復号化部と符号化部を統合し、第一の符号化画像データの復号化を完全に行わずに第二の符号化方式で符号化を行うことで画質劣化の改善をはかる技術も公知である。しかし、変換する第二の符号化方式が第一の符号化方式と大きく異なる場合の効果は十分ではないという問題があった。また、第二の符号化方式での符号化処理を複数回試み、最初の符号化の結果からデータ量配分を見積もり、その結果に基づいて再度符号化を行う方法も既知である。しかし、その方法は、画質劣化を抑える効果が高いが、符号化回数が増えるため処理時間が非常に長くなるという問題があった。
【０００８】
本発明は上記問題点を鑑みてなされたものであり、比較的短い処理時間でありながら、少ない画質劣化で符号化画像データの符号化方式を変換することができる符号化方式変換装置、符号化方式変換方法、その記録媒体およびそのプログラムを提供することを目的とする。
【０００９】
【課題を解決するための手段】
この発明は、上述した課題を解決すべくなされたもので、本発明による符号化方式変換装置においては、動画の画像信号を第一の符号化方式で符号化された第一の符号化画像データを第一の記録媒体より断片的に読み出して第一の符号化画像データの符号列を解析し、第二の符号化方式で符号化するための符号化パラメータを推定する符号化パラメータ推定手段と、第一の記録媒体より連続して読み出した第一の符号化画像データの符号列を、符号化パラメータ推定手段の推定した符号化パラメータに基づいて、第二の符号化方式である第二の符号化画像データへ変換する変換手段とを具備することを特徴とする。
【００１０】
また、本発明による符号化方式変換方法においては、動画の画像信号を第一の符号化方式で符号化した第一の符号化画像データを記録する第一の記録媒体より、断片的に読み出した第一の符号化画像データの符号列を解析して第二の符号化方式で符号化するための符号化パラメータを推定する第一のステップと、第一の記録媒体より連続して読み出した第一の符号化画像データの符号列を、第一のステップで推定した符号化パラメータに基づいて、第二の符号化方式である第二の符号化画像データへ変換する第二のステップとを有することを特徴とする。
【００１１】
また、本発明による記録媒体は、動画の画像信号を第一の符号化方式で符号化した第一の符号化画像データを記録する第一の記録媒体より、断片的に読み出した第一の符号化画像データの符号列を解析して第二の符号化方式で符号化するための符号化パラメータを推定する第一のステップと、第一の記録媒体より連続して読み出した第一の符号化画像データの符号列を、第一のステップで推定した符号化パラメータに基づいて、第二の符号化方式である第二の符号化画像データへ変換する第二のステップとをコンピュータに実行させるためのプログラムを記録したコンピュータ読み取り可能な記録媒体である。
【００１２】
また、本発明によるプログラムは、動画の画像信号を第一の符号化方式で符号化した第一の符号化画像データを記録する第一の記録媒体より、断片的に読み出した第一の符号化画像データの符号列を解析して第二の符号化方式で符号化するための符号化パラメータを推定する第一のステップと、第一の記録媒体より連続して読み出した第一の符号化画像データの符号列を、第一のステップで推定した符号化パラメータに基づいて、第二の符号化方式である第二の符号化画像データへ変換する第二のステップとをコンピュータに実行させるためのプログラムである。
【００１３】
これにより、本発明の符号化方式変換装置、符号化方式変換方法、その記録媒体およびそのプログラムによれば、第一の記録媒体より断片的に読み出す早送り再生により符号化パラメータを推定して、推定した符号化パラメータに基づいて符号化を行うので比較的短い処理時間でありながら、少ない画質劣化で符号化画像データの符号化方式を変換することができる。
【００１４】
【発明の実施の形態】
以下、図面を用いて本発明の実施形態について説明する。
（第１の実施形態）
図１は、本発明の第１の実施形態における符号化方式変換装置の構成を示すブロック図である。図１において、１００は、符号化方式変換装置であり、動画の画像信号を第一の符号化方式で符号化した第一の符号化画像データを第二の符号化方式で符号化した第二の符号化画像データへ変換する機能を有する。１０１は、第一の記録媒体であり、動画の画像信号を第一の符号化方式で符号化した第一の符号化画像データを記録する。尚、第一の符号化方式および第二の符号化方式とは動画像の画像信号を圧縮するための符号化方式である。
【００１５】
１０２は、符号化パラメータ推定部であり、上述した第一の符号化画像データを早送り再生することで、第一の符号化画像データの属性（画像の複雑さ、シーンの変化の多さ、記録時間など）を分析して第二の符号化方式で符号化するための符号化パラメータを推定する。尚、早送り再生とは、第一の記録媒体１０１から断片的に第一の符号化画像データの符号列を読み出す処理である。これにより、第一の符号化画像データの記録時間よりも短い時間で再生を終えることができる。
【００１６】
１０３は、変換部であり、上述した第一の符号化画像データを通常再生して、符号化パラメータ推定部１０２の推定した符号化パラメータを用いて、第二の符号化方式である第二の符号化画像データへ変換する。１０４は、第二の記録媒体であり、変換部１０３の生成した第二の符号化画像データを記録する。また、変換部１０３は、第一の符号化画像データを第一の符号化方式に応じて復号化して画像信号を出力する復号化部１０３ａと、復号化部１０３ａの出力する画像信号を第二の符号化方式で符号化して第二の符号化画像データを出力する符号化部１０３ｂとを具備する。この復号化部１０３ａと符号化部１０３ｂの詳細については後述する。尚、通常再生とは、第一の記録媒体１０１より連続して第一の符号化画像データの符号列を読み出す処理である。
【００１７】
尚、本実施形態においては、上述した第一の記録媒体１０１はテープ状記録媒体であり、上述した第一の符号化方式はフレーム内符号化方式である。また、第二の記録媒体１０４はディスク状記録媒体であり、上述した第二の符号化方式はフレーム間符号化方式である。また、第一の記録媒体１０１および第二の記録媒体１０４の形態は上述した限りではなく、符号化画像データを記録可能で、コンピュータ読み取り可能な記録媒体であればよい。また、第一の記録媒体１０１および第二の記録媒体１０４が同一の記録媒体における異なる領域より構成されてもよい。また、第一の符号化方式および第二の符号化方式は、上述した限りではなく、動画像データを圧縮するための種々の符号化方式であればよい。
【００１８】
次に、図１に示した符号化方式変換装置１００の処理動作について説明する。図２は、図１に示した符号化方式変換装置１００の処理動作を示すフロー図である。
図２に示すように、符号化パラメータ推定部１０２は、第一の記録媒体１０１に格納された符号化データを断片的に読み出して早送り再生を行う（ステップＳ１）。すなわち、テープ状記録媒体である第一の記録媒体１０１においては、記録トラックより断片的に飛び飛びに第一の符号化画像データを読み出す。
【００１９】
次に、符号化パラメータ推定部１０２は、第一の記録媒体１０１より断片的に読み出した第一の符号化画像データ（以下、断片的画像データとする）の符号列を解析して、その映像の属性（画像の複雑さ、シーン変化の多さ、記録時間など）を抽出して、第二の符号化方式で符号化するための符号化パラメータを推定する（ステップＳ２）。尚、符号化パラメータ推定部１０２は、必要であれば断片的画像データを復号化するが、完全に復号化する必要はなく、断片的画像データの映像の属性を解析するために必要な分だけ復号化すればよい。ここで、符号化パラメータ推定部１０２が符号化パラメータを推定する処理の複数の具体例について以下に説明する。
【００２０】
まず、符号化パラメータ推定部１０２は、断片的画像データの符号列を解析して以下に示す種々の属性を抽出する。例えば、断片的画像データの符号列に含まれる量子化スケールの平均値や、フレーム毎ないしはブロック毎のデータ量や、離散コサイン変換係数の高域成分の量や、動き検出フラグの有効数（動き量）などである。これらの属性を、符号化パラメータ推定部１０２は、画像フレーム毎や画素ブロック毎の映像の複雑さを示す指標とする。
【００２１】
尚、断片的画像データは、断片的に読み出された符号化画像データであるため符号列すべてを含まない。このため、符号化パラメータ推定部１０２は、すべての画像フレーム、すべての画素ブロックについて解析できないが、映像の大まかな複雑さの変化を検出するには十分である。
【００２２】
ここで、符号化パラメータ推定部１０２が検出する映像の複雑さの変化例について図を用いて説明する。図３は、符号化パラメータ推定部１０２が検出する映像の複雑さの変化例を示すグラフである。図３のグラフにおいて横軸は、映像の再生時間、縦軸は複雑さである。このグラフに示すように、符号化パラメータ推定部１０２は、再生時間の区間ａは複雑さが大きいことを検出し、区間ｂは複雑さが小さいことを検出している。このような場合に、符号化パラメータ推定部１０２は、区間ａにおいては、画像フレーム毎や画素ブロック毎のデータ量配分を大きくし、区間ｂにおいてはデータ量配分を小さくするよう第二の符号化方式における符号化パラメータを推定する。例えば、複雑な映像には解像度の高い（大きなデータ量となる）符号化を行い、複雑でない映像には解像度の低い（小さなデータ量となる）符号化を行うことで、全体として高圧縮な符号化を用いても映像全体の画質劣化を抑えることができる。
【００２３】
また、符号化パラメータ推定部１０２は、断片的画像データより映像シーンの切り替わりを検出する。具体的には、符号化パラメータ推定部１０２は、断片的画像データの符号列に含まれるタイムコードの不連続位置や、フレーム内の輝度の平均値が大きく変化する位置を、映像シーンの切り替わりとして検出する。これは、映像シーンの切り替わりは、フレーム間の相関が低く、第二の符号化方式であるフレーム間符号化による画質劣化が非常に大きいという問題を考慮したものである。これにより、符号化パラメータ推定部１０２は、映像シーンの切り替わり位置において、画像フレームや画素ブロックの符号化パラメータを制御し、変換部１０３に劣化の少ないフレーム内符号化を強制実行させることができる。尚、この時、符号化パラメータは、フレーム間符号化とフレーム内符号化の制御パラメータを含む。
【００２４】
また、符号化パラメータ推定部１０２は、断片的画像データから映像の記録時間（または再生時間）を検出する。すなわち、第一の記録媒体１０１（テープ）の先頭から早送り再生し、無記録部（録画映像の終了）を検知するまでの区間を記録時間とする。次に、符号化パラメータ推定部１０２は、検出した記録時間と、第二の記録媒体１０４の残容量から、適切な符号化レートを算出する。
【００２５】
また、符号化パラメータ推定部１０２は、断片的画像データから画像フレームの輝度分布や、色分布を抽出し、フレーム中の重要領域を推定し、符号化パラメータを制御する。例えば、符号化パラメータ推定部１０２は、肌色が広く分布している領域は、人物が写っている重要領域であると推定し、データ量配分を大きくする符号化パラメータを設定する。これにより、変換部１０３は、重要領域の画像の劣化を目立たなくするよう第二の符号化方式へ符号化することができる。
【００２６】
以上に示したように、符号化パラメータ推定部１０２は、断片的画像データより第一の符号化画像データに対する映像の属性（画像の複雑さ、シーン変化の多さ、記録時間など）を抽出して、第二の符号化方式で符号化するための符号化パラメータ（データ配分量や、符号化方法、符号化レート等）を推定する。これにより、符号化パラメータ推定部１０２は、推定した符号化パラメータを保持して、変換部１０３へ供給する。
【００２７】
ここで、図２の処理の説明に戻る。
次に、変換部１０３は、第一の記録媒体１０１に格納された第一の符号化画像データを連続して読み出すことで通常再生を行う（ステップＳ３）。すなわち、第一の符号化画像データの有する全ての符号列をもれなく連続で読み出し再生する。尚、再生信号に欠落が生じなければ、変換部１０３は、本来の再生速度（または記録速度）よりも高速に第一の符号化画像データを読み出してもかまわない。また、上述したように、変換部１０３は、第一の符号化方式で符号化された第一の復号化画像データの復号化を行う復号化部１０３ａと、符号化パラメータを用いて第二の符号化方式の符号化を行う符号化部１０３ｂによって構成される。
【００２８】
次に、変換部１０３の復号化部１０３ａは、第一の記録媒体１０１より連続して読み出した第一の符号化画像データ（以下、連続画像データとする）を復号化して画像信号を生成する。続けて変換部１０３の符号化部１０３ｂは、符号化パラメータ推定部１０２から供給される符号化パラメータに基づいて、復号化部１０３ａが生成した画像信号を第二の符号化方式に符号化する（ステップＳ４）。
【００２９】
ここで、ステップＳ４の変換部１０３の処理について具体例を示して説明する。まず、符号化部１０３ｂは、複雑な映像を含む画像フレームにはデータ量配分が大きくなるよう符号化する。これにより、変換部１０３は、複雑な映像はより解像度の高い符号化を行い、複雑でない映像は解像度の低い符号化を行うなどすることで、トータルのデータ量を抑えた映像画質の制御を行うことができる。また、符号化部１０３ｂは、映像シーンの切り替わり部分はフレーム内符号化により符号化を行う。
【００３０】
さらに、符号化部１０３ｂは、符号化パラメータに含まれる符号化レートを用いて符号化を行う。これにより、映像時間と記録媒体残容量に応じた適切な符号化を行うことができ、画質の劣化を軽減することができる。また、符号化部１０３ｂには、符号化パラメータ推定部１０２より符号化パラメータの推定値が供給される。これにより、符号化部１０３ｂは、供給される符号化パラメータの推定値に基づいて、第二の符号化方式に応じた符号化を行うために必要な符号化パラメータを最終的に決定する。以上に説明したように、変換部１０３は、第二の符号化方式に応じた符号化パラメータを用いて第一の符号化画像データを第二の符号化画像データに変換する。
【００３１】
次に、変換部１０３は、符号化した第二の符号化画像データを、第二の記録媒体１０４に格納する（ステップＳ５）。以上により、第二の記録媒体１０４には、第二の符号化画像データが記録され、変換処理が終了する。
尚、第一の記録媒体１０１がテープ状記録媒体であるので、符号化方式変換装置１００は、テープ状記録媒体より情報を読み取るためのインターフェースや装置等を具備している。また、符号化方式変換装置１００は、第二の記録媒体１０４にアクセス可能で、種々のプログラムを実行するコンピュータを具備している。
【００３２】
以上に示したように、符号化方式変換装置１００は、第一の符号化画像データを早送り再生することで映像の属性を検出して、検出した属性に応じた符号化パラメータを推定するので、高速であって十分な精度の符号化パラメータの推定を行うことができる。また、符号化方式変換装置１００は、第一の符号化画像データを推定した符号化パラメータを用いて第二の符号化画像データに変換するので、画質劣化の少ない第二の符号化画像データを得ることができる。
【００３３】
（第２の実施形態）
次に、本発明の第２の実施形態における符号化方式変換装置について説明する。
図４は、本発明の第２の実施形態における符号化方式変換装置の構成を示すブロック図である。図４において、２００は、本発明の第２の実施形態における符号化方式変換装置であり、図１に示した符号化方式変換装置１００と同様に第一の符号化画像データを第二の符号化画像データに変換する機能を有するが、符号化方式変換装置１００とは一部のデータ処理の形態が異なる。以下、符号化方式変換装置１００とは異なる部分について主に説明を行う。
【００３４】
２０１は第一の記録媒体であり、図１の第一の記録媒体１０１と同様に第一の符号化画像データを記録する。２０２は符号化パラメータ推定部であり、図１の符号化パラメータ推定部１０２と同様の機能を有するが、符号化パラメータの出力先（後述する第二の記録媒体２０４）が異なる。２０３は変換部であり、図１の変換部１０３と同様の機能を有するが、符号化パラメータの取得先（後述する第二の記録媒体２０４）が異なる。また、変換部２０３は、復号化部２０３ａと符号化部２０３ｂを具備し、それらは図１の復号化部１０３ａおよび符号化部１０３ｂと同様の機能を有する。２０４は第二の記録媒体であり、図１の第二の記録媒体１０４と同様に第二の符号化画像データを記録するが、更に符号化パラメータ推定部２０２の出力した符号化パラメータを記録している点で異なる。
【００３５】
次に、図４に示す構成を有する符号化方式変換装置２００の処理動作を説明する。図５は、図４に示した符号化方式変換装置２００の処理動作を示すフロー図である。図５に示すように、最初に、ステップＳ１１において、符号化パラメータ推定部２０２は、第一の記録媒体２０１に格納された第一の符号化画像データを断片的に読み出し、早送り再生を行う。すなわち、第一の記録媒体２０１がテープ状記録媒体である場合においては、記録トラックより断片的に飛び飛びに第一の符号化画像データを読み出し再生する。
【００３６】
次に、ステップＳ１２において、符号化パラメータ推定部２０２は、断片的に読み出した第一の符号化画像データの符号列を解析し、映像の属性（映像の複雑さの変化、映像シーンの切り替わり、映像の記録時間など）を検出する。そして、符号化パラメータ推定部２０２は、これらの検出結果に基づいて、第二の符号化方式への変換において好適な符号化パラメータを推定する。次に、ステップＳ１３において、符号化パラメータ推定部２０２は、推定した符号化パラメータを第二の記録媒体２０４に格納する。
【００３７】
続いて、ステップＳ１４において、変換部２０３の復号化部２０３ａは、第一の記録媒体２０１に格納された第一の符号化画像データを連続して読み出し、通常再生を行う。すなわち、変換対象である第一の符号化画像データにおける全ての符号列をもれなく連続で読み出して再生する。この時、再生信号（第一の符号化画像データの符号列）に欠落が生じなければ、本来の記録速度よりも高速に読み出してもかまわない。
【００３８】
次に、ステップＳ１５において、変換部２０３の復号化部２０３ａは、読み出した第一の符号化画像データの符号列を画像信号に復号化する。そして、変換部２０３の符号化部２０３ｂは、第二の記録媒体２０４より符号化パラメータを読み出し、その符号化パラメータに基づいて、復号化部２０３ａの復号化した画像信号を第二の符号化方式によって符号化する。
【００３９】
次に、ステップＳ１６において、変換部２０３は、符号化部２０３ｂが符号化した第二の符号化画像データを、第二の記録媒体２０４に格納する。以上に示したように、符号下方式変換装置２００は、断片的に読み出した第一の符号化画像データを基に第二の符号化方式に応じた符号化パラメータを推定して、連続して読み出した第一の符号化画像データを推定した符号化パラメータに基づいて第二の符号化画像データへ変換する。尚、第二の記録媒体２０４に記録されている符号化パラメータは、変換部２０３における変換の終了とともに削除される。
【００４０】
（第３の実施形態）
次に、本発明の第３の実施形態における符号化方式変換システムについて説明する。
図６は、本発明の第３の実施形態における符号化方式変換システムの構成を示すブロック図である。図６において、３００は、本発明の第３の実施形態における符号化方式変換システムであり、図１に示した符号化方式変換装置１００と同様に第一の符号化画像データを第二の符号化画像データに変換する機能を有するシステムである。以下、符号化方式変換装置１００とは異なる部分について主に説明を行う。
【００４１】
３０１は第一の記録媒体であり、図１の第一の記録媒体１０１と同様に第一の符号化画像データを記録する。３０２は再生装置であり、第一の記録媒体３０１より符号化方式の変換対象となる第一の符号化画像データを早送り再生または通常再生する機能を有する。すなわち、再生装置３０２は、早送り再生を行う早送り再生処理部３０２ａと、通常再生を行う通常再生処理部３０２ｂとを具備する。早送り再生処理部３０２ａは、第一の記録媒体３０１より符号化方式の変換対象となる第一の符号化画像データを断片的に読み出して早送り再生を行う。通常再生処理部３０２ｂは、第一の記録媒体３０１より符号化方式の変換対象となる第一の符号化画像データを連続して読み出して通常再生を行う。
【００４２】
３０３は、記録装置であり、再生装置３０２が再生する第一の符号化画像データの符号列を後述する伝送路３０５を介して受信して、受信した第一の符号化画像データを基に符号化パラメータを推定する機能や、受信した第一の符号化画像データに対して推定した符号化パラメータに基づいて第二の符号化画像データへ変換する機能を有する。また、記録装置３０３の詳細な構成について後述する。３０４は、第二の記録媒体であり、図１の第二の記録媒体１０４と同様に第二の符号化画像データを記録する。３０５は、伝送路であり、第一の符号化画像データの符号列および再生装置３０２または記録装置３０３を制御するための制御信号等を伝送する。また、上述した記録装置３０３は、変換後の第二の符号化画像データを第二の記録媒体３０４へ記録する機能を更に有する。
【００４３】
ここで、記録装置３０３の詳細な構成について説明する。図６に示すように記録装置３０３は、符号化パラメータ推定部３０３Ａと変換部３０３Ｂを具備する。符号化パラメータ推定部３０３Ａは、図１の符号化パラメータ推定部１０２と同様の機能を有する。変換部３０３Ｂは、図１の変換部１０３と同様の機能を有し、復号化部３０３ａと符号化部３０３ｂを具備する。すなわち、復号化部３０３ａと符号化部３０３ｂは図１の復号化部１０３ａおよび符号化部１０３ｂと同様の機能を有する。尚、上述した再生装置３０２は、本実施形態において第一の記録媒体３０１がテープ状記録媒体であるので、データの読み出し位置を迅速に調整するための早送り機能および巻き戻し機能を更に備える。
【００４４】
尚、図１、図４、図６に示した各処理部は、専用のハードウェアにより実現されるものであってもよく、また、各処理部はメモリおよびＣＰＵにより構成され、各処理部の機能を実現する為のプログラムをメモリに読み込んで実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ　Ａｃｃｅｓｓ　Ｍｅｍｏｒｙ）のような揮発性のメモリ、あるいはこれらの組み合わせによるコンピュータ読み取り、書き込み可能な記録媒体より構成されるものとする。
【００４５】
次に、図６に示した符号化方式変換システム３００の処理動作について図を用いて説明する。
図７は、図６に示した符号化方式変換システム３００の処理動作を示すフロー図である。まず、ステップＳ２１において、再生装置３０２の早送り再生処理部３０２ａは、第一の記録媒体３０１より第一の符号化画像データを断片的に読み出し、早送り再生を行う。これにより、早送り再生信号（断片的に読み出された第一の符号化画像データの符号列）は、伝送路３０５を通じて記録装置３０３に供給される。
【００４６】
次に、ステップＳ２２において、記録装置３０３が早送り再生信号を受信し、符号化パラメータ推定部３０３Ａが受信した早送り再生信号の符号列を解析して、第二の画像符号化方式に対応した符号化パラメータを推定する。次に早送り再生が終了した場合に、ステップＳ２３において、再生装置３０２は、第一の記録媒体３０１を、変換の対象である第一の符号化画像データの記録の先頭まで巻き戻す。尚、上述した第一の記録媒体３０１はテープ状記録媒体なので巻き戻しを行ったが、ディスク状記録媒体やシリコンメモリ等の記録媒体においては物理的な巻き戻し動作は発生しない。また、第一の記録媒体３０１がディスク状記録媒体やシリコンメモリ等の記録媒体である場合には、その記録媒体における再生映像の先頭に再生位置を戻す。
【００４７】
続いて、ステップＳ２４において、再生装置３０２の通常再生処理部３０２ｂは第一の記録媒体３０１より第一の符号化画像データを連続して読み出し、通常再生を行う。その再生信号（連続して読み出した第一の符号化画像データの符号列）は、伝送路３０５を通じて記録装置３０３に供給される。次に、ステップＳ２５において、記録装置３０３の変換部３０３Ｂは、再生信号を受信して、符号化パラメータ推定部３０３Ａが推定した符号化パラメータに基づいて第二の符号化方式へ変換処理する。この時、復号化処理部３０３ａが再生信号を復号化して画像信号を生成し、符号化処理部３０３ｂが復号化処理部３０３ａの生成した再生信号を基に符号化を行う。
【００４８】
次に、ステップＳ２６において、記憶装置３０３は、変換した第二の符号化画像データを第二の記録媒体３０４に格納する。以上に示したように、符号化方式変換システム３００は、第一の記録媒体３０１より断片的に読み出した第一の符号化画像データを基に符号化パラメータを推定し、第一の記録媒体３０１より連続して読み出した第一の符号化画像データに対して推定した符号化パラメータに基づいて第二の符号化方式に応じた符号化を行う。尚、上述の処理フローは、再生装置３０２か記録装置３０３のいずれか一方、あるいは両方によって制御される。また、両装置間の制御信号は、伝送路３０５を経由してやりとりされる。
【００４９】
以上に示したように、本発明は、複数の機器（例えばホストコンピュータ、インターフェース機器、記録装置など）から構成されるシステム（符号化方式変換システム）に適用しても、一つの機器からなる装置（符号化方式変換装置）に適用してもよい。尚、上述した各実施形態においては、第一の記録媒体がテープ状記録媒体で第二の記録媒体がディスク状記録媒体であったが、この限りではなく、双方がテープ状記録媒体やディスク状記録媒体であってもよいし、第一の記録媒体がディスク状記録媒体で第二の記録媒体がテープ状記録媒体であってもよい。また、上述した各実施形態では第一の符号化方式がフレーム内符号化方式で第二の符号化方式がフレーム間符号化方式であったが、この限りではなく、双方ともフレーム内符号化方式またはフレーム間符号化方式であってもよく、また、その他の符号化方式であってもよい。
【００５０】
また、本発明の目的は、前述した実施形態の機能を実現するプログラムを記録した記録媒体（または記憶媒体）を、システムあるいは装置に供給し、そのシステムあるいは装置のコンピュータ（またはＣＰＵやＭＰＵ）が記録媒体に格納されたプログラムを読み出し実行することによっても達成される。この場合、記録媒体から読み出されたプログラム自体が前述した実施形態の機能を実現することになり、そのプログラムを記録した記録媒体は本発明を構成することになる。また、コンピュータが読み出したプログラムの指示に基づき、コンピュータ上で稼働しているオペレーティングシステム（ＯＳ）などが実際の処理の一部または全部を行い、その処理によって前述した実施形態の機能が実現される場合も含まれる。
【００５１】
さらに、記録媒体から読み出されたプログラムが、コンピュータに挿入された機能拡張カードやコンピュータに接続された機能拡張ユニットに備わるメモリに書込まれた後、そのプログラムの指示に基づき、その機能拡張カードや機能拡張ユニットに備わるＣＰＵなどが実際の処理の一部または全部を行い、その処理によって前述した実施形態の機能が実現される場合も含まれる。
【００５２】
また、上述したプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
【００５３】
また、上記プログラムは、このプログラムを記録装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００５４】
以上、この発明の実施形態について図面を参照して詳述してきたが、具体的な構成はこの実施形態に限られるものではなく、この発明の要旨を逸脱しない範囲の設計等も含まれる。
【００５５】
【発明の効果】
以上説明したように、本発明によれば記録媒体より断片的に読み出された第一の符号化方式の画像データの符号列を解析し、第二の符号化方式で符号化するための符号化パラメータを推定し、前記第一の記録媒体より連続して読み出した前記第一の符号化方式の画像データの符号列を前記推定した符号化パラメータに基づいて第二の符号化方式の画像データに変換するので、第一の符号化方式の画像データを比較的短い処理時間でありながら、少ない画質劣化で第二の符号化方式の画像データに変換することができる。
【図面の簡単な説明】
【図１】本発明の第１の実施形態における符号化方式変換装置の構成を示すブロック図である。
【図２】図１に示した符号化方式変換装置１００の処理動作を示すフロー図である。
【図３】符号化パラメータ推定部１０２が検出する映像の複雑さの変化例を示すグラフである。
【図４】本発明の第２の実施形態における符号化方式変換装置の構成を示すブロック図である。
【図５】図４に示した符号化方式変換装置２００の処理動作を示すフロー図である。
【図６】本発明の第３の実施形態における符号化方式変換システムの構成を示すブロック図である。
【図７】図６に示した符号化方式変換システム３００の処理動作を示すフロー図である。
【図８】従来の符号化方式変換装置の概略構成を示す図である。
【符号の説明】
１００，２００，３００　　　　符号化方式変換装置
１０１，２０１，３０１　　　　第一の記録媒体
１０２，２０２，３０３Ａ　　　符号化パラメータ推定部
１０３，２０３，３０３Ｂ　　　変換部
１０３ａ，２０３ａ，３０３ａ　復号化部
１０３ｂ，２０３ｂ，３０３ｂ　符号化部
１０４，２０４，３０４　　　　第二の記録媒体
３０２　　　　　再生装置
３０２ａ　　　　早送り再生処理部
３０２ｂ　　　　通常再生処理部
３０３　　　　　記憶装置
３０５　　　　　伝送路
【図１】
2004096228.tif 000003
【図２】
2004096228.tif 000004
【図３】
2004096228.tif 000005
【図４】
2004096228.tif 000006
【図５】
2004096228.tif 000007
【図６】
2004096228.tif 000008
【図７】
2004096228.tif 000009
【図８】
2004096228.tif 000010
【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定手段と、
前記記録媒体から連続的に読み出された前記第１の符号化画像データを、前記符号化パラメータ推定手段で推定した前記符号化パラメータに基づいて、前記第２の符号化方式の第２の符号化画像データに変換する変換手段とを有することを特徴とする符号化方式変換装置。
【請求項２】
前記変換手段は、
前記記録媒体より連続して読み出した前記第１の符号化画像データを復号する復号化手段と、
前記復号化手段が復号した前記第１の符号化画像データを前記符号化パラメータ推定手段の推定した前記符号化パラメータに基づいて、前記第二の符号化方式で符号化して前記第２の符号化画像データを出力する符号化手段とを有することを特徴する請求項１に記載の符号化方式変換装置。
【請求項３】
前記符号化パラメータ推定手段は、前記記録媒体から断片的に読み出した前記第１の符号化画像データから画像の属性を検出して、その検出結果に応じて第２の符号化方式で符号化するための符号化パラメータを推定することを特徴とする請求項１又は２に記載の符号化方式変換装置。
【請求項４】
前記符号化パラメータ推定手段は、前記第２の符号化方式の符号化における画像フレーム毎のデータ配分量を制御する符号化パラメータを推定することを特徴とする請求項１〜３のいずれか１項に記載の符号化方式変換装置。
【請求項５】
前記第２の符号化方式は、画素ブロック単位で符号化し、前記符号化パラメータ推定手段は、前記第２の符号化方式の符号化における前記画素ブロック毎のデータ配分量を制御する符号化パラメータを推定することを特徴とする請求項１〜４のいずれか１項に記載の符号化方式変換装置。
【請求項６】
前記符号化パラメータ推定手段は、前記第２の符号化方式の符号化における画像フレーム毎の符号化方法を制御する符号化パラメータを推定すること特徴とする請求項１〜５のいずれか１項に記載の符号化方式変換装置。
【請求項７】
前記第２の符号化方式はイントラ符号化モードとインター符号化モードとを適応的に用いて符号化する方式であり、前記符号化パラメータ推定手段は、前記第２の符号化方式の符号化における符号化モードを制御する符号化パラメータを推定することを特徴とする請求項１〜６のいずれか１項に記載の符号化方式変換装置。
【請求項８】
前記符号化パラメータ推定手段は、前記第２の符号化方式の符号化における符号化レートを制御する符号化パラメータを推定することを特徴とする請求項１〜７のいずれか１項に記載の符号化方式変換装置。
【請求項９】
前記符号化パラメータ推定手段が検出する前記画像の属性は、前記第１の符号化画像データにおける所定単位の画像の複雑さの変化を示すことを特徴とする請求項３に記載の符号化方式変換装置。
【請求項１０】
前記符号化パラメータ推定手段が検出する前記画像の属性は、前記第１の符号化画像データにおける所定単位の画像の動き量の変化を示すことを特徴とする請求項３に記載の符号化方式変換装置。
【請求項１１】
前記符号化パラメータ推定手段が検出する前記画像の属性は、前記第１の符号化画像データにおける所定単位のデータ量の変化を示すことを特徴とする請求項３に記載の符号化方式変換装置。
【請求項１２】
前記符号化パラメータ推定手段が検出する前記画像の属性は、前記第１の符号化画像データにおけるシーンの切り替わり位置を示すことを特徴とする請求項３に記載の符号化方式変換装置。
【請求項１３】
前記符号化パラメータ推定手段が検出する前記画像の属性は、前記第１の符号化画像データにおける画像の記録時間を示すことを特徴とする請求項３に記載の符号化方式変換装置。
【請求項１４】
前記符号化パラメータ推定手段が検出する前記画像の属性は、前記第１の符号化画像データにおける輝度分布を示すことを特徴とする請求項３に記載の符号化方式変換装置。
【請求項１５】
前記符号化パラメータ推定手段が検出する前記画像の属性は、前記第１の符号化画像データにおける画像フレームの色分布を示すことを特徴とする請求項３に記載の符号化方式変換装置。
【請求項１６】
前記第１の符号化方式は、イントラ符号化のみで符号化する方式であり、前記第２の符号化方式は、イントラ符号化モードとインター符号化モードとを適応的に用いて符号化する方式であることを特徴とする請求項１〜１５のいずれか１項に記載の符号化方式変換装置。
【請求項１７】
前記変換手段により変換された前記第２の符号化画像データを第２の記録媒体に記録する記録手段を更に有することを特徴とする請求項１〜１６のいずれか１項に記載の符号化方式変換装置。
【請求項１８】
第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定ステップと、
前記記録媒体から連続的に読み出された前記第１の符号化画像データを、前記符号化パラメータ推定ステップで推定した前記符号化パラメータに基づいて、前記第２の符号化方式である第２の符号化画像データへ変換する変換ステップとを有することを特徴とする符号化方式変換方法。
【請求項１９】
第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定ステップと、
前記記録媒体から連続的に読み出された前記第１の符号化画像データを、前記符号化パラメータ推定ステップで推定した前記符号化パラメータに基づいて、前記第２の符号化方式である第２の符号化画像データへ変換する変換ステップとをコンピュータに実行させるためのプログラム。
【請求項２０】
第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定ステップと、
前記記録媒体から連続的に読み出された前記第１の符号化画像データを、前記符号化パラメータ推定ステップで推定した前記符号化パラメータに基づいて、前記第２の符号化方式である第２の符号化画像データへ変換する変換ステップとをコンピュータに実行させるためのプログラムを記録したコンピュータ読み取り可能な記録媒体。
【手続補正２】
【補正対象書類名】明細書
【補正対象項目名】０００５
【補正方法】変更
【補正の内容】
【０００５】
尚、第一の記録媒体９０１は、テープ状記録媒体であり、第一の符号化方式は、フレーム内符号化方式（イントラ符号化方式）である。また、第二の記録媒体は、ディスク状記録媒体であり、第二の符号化方式はフレーム間符号化方式（インター符号化方式）である。この時、第二の符号化方式の方が、第一の符号化方式に比べて高圧縮である。


【手続補正３】
【補正対象書類名】明細書
【補正対象項目名】０００９
【補正方法】変更
【補正の内容】
【０００９】
【課題を解決するための手段】
本発明による符号化方式変換装置においては、第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定手段と、前記記録媒体から連続的に読み出された前記第１の符号化画像データを、前記符号化パラメータ推定手段で推定した前記符号化パラメータに基づいて、前記第２の符号化方式の第２の符号化画像データに変換する変換手段とを有することを特徴とする。


【手続補正４】
【補正対象書類名】明細書
【補正対象項目名】００１０
【補正方法】変更
【補正の内容】
【００１０】
また、本発明による符号化方式変換方法においては、第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定ステップと、前記記録媒体から連続的に読み出された前記第１の符号化画像データを、前記符号化パラメータ推定ステップで推定した前記符号化パラメータに基づいて、前記第２の符号化方式である第２の符号化画像データへ変換する変換ステップとを有することを特徴とする。


【手続補正５】
【補正対象書類名】明細書
【補正対象項目名】００１１
【補正方法】変更
【補正の内容】
【００１１】
また、本発明によるプログラムは、第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定ステップと、前記記録媒体から連続的に読み出された前記第１の符号化画像データを、前記符号化パラメータ推定ステップで推定した前記符号化パラメータに基づいて、前記第２の符号化方式である第２の符号化画像データへ変換する変換ステップとをコンピュータに実行させるためのプログラムである。


【手続補正６】
【補正対象書類名】明細書
【補正対象項目名】００１２
【補正方法】変更
【補正の内容】
【００１２】
また、本発明による記録媒体は、第１の符号化方式で符号化された第１の符号化画像データが記録された記録媒体から断続的に読み出された前記第１の符号化画像データを解析し、前記第１の符号化方式とは異なる第２の符号化方式で符号化するための符号化パラメータを推定する符号化パラメータ推定ステップと、前記記録媒体から連続的に読み出された前記第１の符号化画像データを、前記符号化パラメータ推定ステップで推定した前記符号化パラメータに基づいて、前記第２の符号化方式である第２の符号化画像データへ変換する変換ステップとをコンピュータに実行させるためのプログラムを記録したコンピュータ読み取り可能な記録媒体である。


【手続補正７】
【補正対象書類名】明細書
【補正対象項目名】００１３
【補正方法】削除
【補正の内容】